(57)【要約】【課題】体操用の衝撃緩衝マットは、発泡体ウレタンを使用した一般的なものを初め多種が存在している。  しかしながら、幼児や小学校低学年生が遊戯や床運動用として使用するに適する衝撃緩衝マットが無いため、成人用のものを転用しているが、重く軽便性に欠けるなど何かと不便を感じている。【解決手段】空気を充填させて使用される緩衝マットにおいて、空気の入出が自在で流出止め弁を設けた容器本体内部の略中央部に、隔壁で区切られた室を前記容器本体の上下壁と間隔を有しながら不動に備え、該隔壁の両壁に空気移動孔を有することを特徴とし、また、容器本体と室とは同素材で作られ、さらに、この容器と室とは別色の合成樹脂で作り問題の解決手段としている。【選択図】図１
0003128273.tif 000002
【実用新案登録請求の範囲】
【請求項１】
空気を充填させて使用される緩衝マットにおいて、空気の入出が自在で流出止め弁３を設けた容器本体１内部の略中央部に、隔壁４で区切られた室２を前記容器本体の上下壁と間隔を有しながら不動に備え、該隔壁４の両壁に空気移動孔５を有することを特徴とする遊戯用緩衝マット。
【請求項２】
空気の入出自在な容器本体１と、この容器本体内に不動に備えられる室２とは、同素材で作られたことを特徴とする実用新案登録請求の範囲請求項１記載の遊戯用緩衝マット。
【請求項３】
空気の入出自在な容器本体１と、この容器本体内に不動に備えられる室２とは、別色の合成樹脂で形成されたことを特徴とする実用新案登録請求の範囲請求項１及び請求項２記載の遊戯用緩衝マット。
【考案の詳細な説明】
【技術分野】
【０００１】  本考案は、幼児や小学校低学年生が遊戯や床運動をするときに用いるのに適する緩衝マットに関するものである。
【背景技術】
【０００２】  この種の用途に用いられている緩衝マットは、発泡ウレタンを使用した一般的なものや、特開２００４−２１５９９９のように対向面間に多数の連繋糸が渡されることによって該対向面間に空間を有する連繋体を形成し、この連繋体が非通気性のシートに被覆されることで気密状態とするもの、或いは見かけ比重が０．３０〜０．７０の発泡シート板に多数の孔をあけ、表面側に保護層を設けた特開２００４−１０８５７８など多種が存在している。【０００３】  しかしながら従来の係る緩衝マットは、成人の使用に適するように考えられたものであるため、体重の少ない幼児や小学校低学年生が遊戯や床運動をするときに用いるのには過剰な品質であり、その上、使用前の準備も中々な労働を強いられている。
そんな中で、実開平２−２０５６８は複数個の空気袋を平板状マットで挟持し、且つ防水性を有する外装カバーで被覆したものなので、軽便製に富んでいることからこれらの用途に適するものとして評価されている。
が、この緩衝マットは複数個接続して使用することができず、また、常に平面状のみでの使用に限定される問題点がある。
【考案の開示】
【考案が解決しようとする課題】
【０００４】  そこで本考案は、係る事実に鑑み従来品が有する問題点、即ち、過剰品質とならず、且つ使用前の準備も楽に行え、更に平面状以外の形状、例えば円形のような形状も形成できる緩衝マットを提供しようとするものである。
【課題を解決するための手段】
【０００５】  上記目的を達成するため本考案は、空気を充填させて使用される緩衝マットにおいて、空気の入出が自在で流出止め弁を設けた容器本体内部の略中央部に、隔壁で区切られた室を前記容器本体の上下壁と間隔を有しながら不動に備え、該隔壁の両壁に空気移動孔を有することを特徴とし、また、この容器と、移動不可に備えられる室とは同素材で作られ、且つ別色の合成樹脂で形成されたことを特徴とするものである。
【考案の効果】
【０００６】  本考案は、以上のような構成で課題を解決するための手段とするものであるから、以下の効果を奏する。
（１）容器とその内部に備えられた室とは、同素材で作られているので加工が容易であるため安価に提供することができる。【０００７】（２）容器とその内部に備えられた室とは、別色の合成樹脂で形成されているので、透明或いは半透明で出来るばかりでなく、別色であることから関心を引き遊戯や床運動そのものに対して興味を持つきっかけとなる。【０００８】（３）容器の内部に備えられた室は、不動で独立した室を形成しているため、外圧が容器に加えられたとき、内部の空気移動は室と容器本体の上下壁の間隔所と、隔壁の両壁に貫設された孔から反対方向に移動する。
また、中央部の室に外圧が加えられたときの空気移動は、隔壁の両壁に貫設された孔から左右に行われる。つまり、容器の何処に外圧が加えられても空気の移動がスムーズに行われ緩衝の役目を果たす。【０００９】（４）本考案の容器は合成樹脂で形成されることから、連結加工は容易であり、複数個を繋ぐことで円形の緩衝体も形成できるので、例えば大輪状ならば輪内に収まり回転したり、小輪状ならば輪くぐりに使うなど遊戯や床運動の用途の幅は広い。
【考案を実施するための最良の形態】
【００１０】  本考案の遊戯用緩衝マットは、塩化ビニールのような一定の強度を有するとともに、幼児や小学校低学年生が直接肌に接してもかぶれなどの問題が無い合成樹脂素材が使われ、空気の入出自在で流出止め栓を備えた容器本体の略中央部に、容器の上下壁と間隔を有し、隔壁で区切られた独立した室を不動状態に設けるとともに、該隔壁の長手方向両壁に孔を有している。【００１１】  ここで容器本体は、長方形を呈し、幅が約３０ｃｍから４０ｃｍで、長さが約６０ｃｍから１ｍまで、厚さが最大所で約８ｃｍから１０ｃｍ程度に形成されることが用途上最適である事が試行の結果得られている。
また、容器本体と室とは同素材で作られ、更に、其々が別色の合成樹脂で形成されている。【００１２】  ここにおいて、容器本体と室とは同素材で作られることは、その加工を容易にし、且つ効率を高めることと関連し、それぞれが別色の合成樹脂で形成されることは意匠性を高め、本案品に興味を引かせる事に役立つことになる点で重要である。
【実施例】
【００１３】  図面に示す実施例に基づき本考案を詳細に説明すると、図１は本考案に係る遊戯用緩衝マットを複数個接続した状態を説明するもので、本図はその構成を説明するため透明な合成樹脂で形成されたもので示している。
容器本体１は空気の入出自在であって、少なくとも１ケ所に空気流出止め栓３が設けられ、その上下壁とは図中矢印で示したように、空気の移動路となる適宜な間隔を有し、略中央部に、隔壁４で区切られた独立した室２を不動に設けるとともに、該隔壁の長手方向両壁に孔５を備えている。
尚、図中符号６で示した部材は容器本体１を複数個連結する連結片である。【００１４】  図１で示したように、容器本体１は複数個連結されても其々が独立した容器であって、容器本体から別体の容器本体への容器本体１は無く、各単体内での空気移動で緩衝材の役目を果たすこととなる。
その容器本体１において、外圧が加えられたとき、図中矢印で示した箇所で空気移動が行われその役目を果たすものである。即ち、隔壁の長手方向両壁の孔５を通過してＣ部からＡ部とＢ部に移動するルート、容器本体１の上下壁と室２との間を通過してＡ部とＢ部、又はその逆に移動するルートである。【００１５】  ここにおいて、容器本体１と室２とは同素材で作られ、また、其々が別色の合成樹で形成されることも本考案の実施例とされる。【００１６】  図２は、円形を形成すべく容器本体１を図１よりも更に多数連結した実施例を示したものである。この実施例によれば、あたかもキャタビラの如き形状を呈する事となることから、内部に入って輪を回転させたり、障害物競走のようにくぐったりと、遊戯用・運動用マットとしての用途が広がる。
【産業上の利用可能性】
【００１７】  本考案の遊戯用緩衝マットは、以上説明のような構成を有するものなので、その加工に何ら問題点も無いばかりでなく、複数個接続して使用すればその利用範囲は大きく広がり、その上、容器本体内の中央部に空気移動可能にしてある室を独立して不動に設けているので、外圧が加えられても安定した空気移動で緩衝効果を遺憾なく発揮するので、幼児や小学校低学年生が遊戯や床運動をするときに用いものとして産業上大いに期待される。
【図面の簡単な説明】
【００１８】
【図１】本考案の遊戯用緩衝マットを、複数個連結した状態を示したものである。
【図２】本考案の遊戯用緩衝マットを、多数接続してキャタビラ状に実施した状態を示したものである。
【符号の説明】
【００１９】１容器本体      ２室      ３止め弁      ４隔壁      ５孔      接続片
【図１】
0003128273.tif 000003
【図２】
0003128273.tif 000004
【手続補正書】
【提出日】平成18年9月28日(2006.9.28)
【手続補正１】
【補正対象書類名】実用新案登録請求の範囲
【補正対象項目名】全文
【補正方法】変更
【補正の内容】
【実用新案登録請求の範囲】
【請求項１】
空気を充填させて使用される緩衝マットにおいて、空気の入出が自在で流出止め弁３を設けた容器本体１内部の略中央部に、隔壁４で区切られた室２を前記容器本体の上下壁と間隔を有しながら不動に備え、該隔壁４の両壁に空気移動孔５を有することを特徴とする遊戯用緩衝マット。
【請求項２】
空気の入出自在な容器本体１と、この容器本体内に不動に備えられる室２とは、同素材で作られたことを特徴とする実用新案登録請求の範囲請求項１記載の遊戯用緩衝マット。
【請求項３】
空気の入出自在な容器本体１と、この容器本体内に不動に備えられる室２とは、別色の合成樹脂で形成されたことを特徴とする実用新案登録請求の範囲請求項１または請求項２記載の遊戯用緩衝マット。